(57)【要約】【課題】従来よりも排気損失を低減することができる電気掃除機を提供する。【解決手段】本発明の電気掃除機１は、塵挨を捕集する集塵部と、前記集塵部に前記塵挨を吸引する吸引力を発生させる電動送風機を収納するモータケースと、を本体ケース（下ケース１１）内に有する掃除機本体２を備え、前記モータケースに形成されている前記電動送風機からの排気の排出口１５ｈは、前記本体ケース（下ケース１１）の内壁面に対向しており、前記排出口１５ｈと対向する前記本体ケース（下ケース１１）側の対向面２５の略段差部付近に傾斜面を備える、傾斜面部材２６を有することを特徴とする。【選択図】図６
2018134352.tif 000002
【特許請求の範囲】
【請求項１】
塵挨を捕集する集塵部と、前記集塵部に前記塵挨を吸引する吸引力を発生させる電動送風機を収納するモータケースと、を本体ケース内に有する掃除機本体を備え、
前記モータケースからの排気の排出口と、該排出口と対向する前記本体ケース側の対向面との間に、傾斜面付部材を備えることを特徴とする電気掃除機。
【請求項２】
請求項１に記載の電気掃除機において、
前記傾斜面付部材における第一の傾斜面部は、前記排出口の略中央部に対向する位置に設けられていることを特徴とする電気掃除機。
【請求項３】
請求項２に記載の電気掃除機において、
前記傾斜面付部材における第二の傾斜面部は、前記排出口の下側に対向する位置に設けられていることを特徴とする電気掃除機。
【請求項４】
請求項３に記載の電気掃除機において、
前記第一の傾斜面部と前記第二の傾斜面部の間に開口を有することを特徴とする電気掃除機。
【請求項５】
請求項１から４の何れか１項に記載の電気掃除機において、
前記モータケースは前記排出口にひだ付フィルタのひだ間の間隔を略一定とするための櫛刃を備えることを特徴とする電気掃除機。
【発明の詳細な説明】
【技術分野】
【０００１】
本発明は、電気掃除機に関する。
【背景技術】
【０００２】
従来、電動送風機を収納するモータケースを本体ケース内に有し、電動送風機からの排気を排出するモータケースの排出口に、ＵＬＰＡフィルタ（Ultra Low Penetration Air Filter）、ＨＥＰＡフィルタ（High Efficiency Particulate Air Filter）などの粒子捕集効率の高いフィルタが配置されている電気掃除機が知られている（例えば、特許文献１参照）。この電気掃除機では、電動送風機で発生させた吸引力によって集塵室に塵埃を捕集した後の機外への排気が前記のフィルタを介して行われる。この電気掃除機によれば、電動送風機からモータケースの排出口に向かう気流に含まれる微細な塵埃を前記のフィルタが捕集することによって排気の清浄化が行われる。
【０００３】
ところで、この電気掃除機におけるモータケースの排出口は、フィルタを介して本体ケースの内壁面と対向している。そして、この排出口からフィルタを介して流れ出る電動送風機の排気流は、本体ケースの内壁面に沿って流れて複数のスリットなどで形成される本体ケースの排気口から機外に排出される。
【先行技術文献】
【特許文献】
【０００４】
【特許文献１】特開２０１５−１４２６２５号公報
【発明の概要】
【発明が解決しようとする課題】
【０００５】
しかしながら、昨今の電気掃除機においては、掃除機本体のコンパクト化の要請からフィルタと本体ケースの内壁面との隙間が狭くなってきている。このため従来の電気掃除機（例えば、特許文献１参照）では、排気の気流に、対流が発生し、その発生した対流によって、電気掃除機の騒音が増大するという問題が生じる。
【０００６】
そこで、本発明の課題は、従来よりも排気の気流を制御することによって、対流となる気流を抑制し、騒音を低減した電気掃除機を提供することにある。
【課題を解決するための手段】
【０００７】
前記課題を解決した本発明は、塵挨を捕集する集塵部と、前記集塵部に前記塵挨を吸引する吸引力を発生させる電動送風機を収納するモータケースと、を本体ケース内に有する掃除機本体を備え、前記モータケースに形成されている前記電動送風機からの排気の排出口は、前記本体ケースの内壁面に対向しており、前記排出口と対向する前記本体ケース側の対向面の少なくとも一部は、前記排出口の開口面に対して傾斜していることを特徴とする。
【発明の効果】
【０００８】
本発明の電気掃除機によれば、従来よりも排気の気流を制御することによって、対流の発生を抑制して騒音を低減することができる。
【図面の簡単な説明】
【０００９】
【図１】本実施形態に係る電気掃除機の全体を示す外観斜視図である。
【図２】掃除機本体を示す一部分解斜視図である。
【図３】掃除機本体の縦断面図である。
【図４】図３のIV−IV断面図である。
【図５】掃除機本体の右側面から見たモータケース及びフィルタの透視部分斜視図である。
【図６】インナーカバー２６の近傍の断面図である。
【図７】（ａ）は、本発明の実施例で使用した掃除機本体フィルタ部の組み立て図である。（ｂ）（ｃ）は（ａ）のＡ部拡大図である。
【図８】（a）はインナーカバー２６の斜視図である。（ｂ）はインナーカバー２６とフィルタ２３との取付け状態の斜視図である。（ｃ）はインナーカバー２６とフィルタ２３とをモータケース１５eに取り付けた状態の斜視図である。
【図９】図８（ｃ）をフィルタ側（紙面左下側）から見た図である。
【図１０】(ａ)（ｂ）他の実施形態におけるフィルタ部の断面図である。
【発明を実施するための形態】
【００１０】
以下、本発明に係る実施形態について適宜図面を参照して説明するが、本実施形態は以下の内容に限定されるものではなく、本発明の範囲内において適宜変更して実施可能である。
【００１１】
本実施形態の電気掃除機は、モータケースの空気排出口（以下、単に排出口という）に対向する下ケース（本体ケース）側の対向面の少なくとも一部が、排出口の開口面に対して傾斜していることを主な特徴とする。
【００１２】
以下では、電気掃除機の全体構成について説明した後に、下ケース（本体ケース）の対向面について説明する。なお、以下の説明において、電気掃除機の前後左右上下の方向は、図１の電気掃除機１における掃除機本体２の前後左右上下の方向（図１の矢印方向）を基準とする。
【００１３】
＜電気掃除機の全体構成＞
図１は、本実施形態に係る電気掃除機１の全体を示す外観斜視図である。
【００１４】
図１に示すように、電気掃除機１は、掃除機本体２、ホース３、操作管４、延長管５、吸込具６、別体ハンドル３０などを備えて構成されている。
【００１５】
ホース３の一端は、掃除機本体２に接続され、他端が操作管４の一端に接続されている。操作管４は、手元操作スイッチなどを備えたグリップ４ａを備えている。延長管５は、外管５ａと内管５ｂとによって伸縮自在に構成されている。
【００１６】
図２は、掃除機本体２を示す一部分解斜視図である。なお、図２では、コードリール１６に巻回される電源コードの図示を省略している。
【００１７】
図２に示すように、掃除機本体２は、いわゆる紙パック式のものであり、下ケース１１（本体ケース）、上ケース１２、ダストケースカバー１３及び排気カバー１４を備えている。
【００１８】
下ケース１１（本体ケース）は、掃除機本体２の下部の外郭（外観）を構成するものであり、ＰＰ（Polypropylene）樹脂などの合成樹脂製の材料で形成されている。また、下ケース１１（本体ケース）は、上部が略矩形状に開口した凹部１１ａを有し、モータケース１５ｅ、コードリール１６、制御基板１７などを収容している。
【００１９】
モータケース１５ｅ内には、後記の電動送風機１５（図３参照）が収納されている。
【００２０】
また、下ケース１１（本体ケース）は、前記の電動送風機１５の吸引力で集塵した塵埃を捕集する集塵部１８を有している。
【００２１】
また、下ケース１１（本体ケース）には、前後方向の略中央より後側にモータケース１５ｅ、コードリール１６及び制御基板１７が配置され、前後方向の略中央より前側に集塵部１８が配置されている。
【００２２】
本実施形態でのコードリール１６は、モータケース１５ｅの後方に配置されている。また、制御基板１７は、モータケース１５ｅの上部に配置されている。
【００２３】
集塵部１８を囲む周壁の上縁部には、環状に蓋パッキン１８ａが取り付けられている。
【００２４】
なお、本実施形態の集塵部１８には、後記の紙パック２１（図３参照）が配置される。
【００２５】
集塵部１８は、ホース３（図１参照）が接続されるホース接続口２０ｂと連通するとともに、フィルタ１８ｂを介して後記の電動送風機１５（図３参照）が収納されるモータケース１５ｅ内と連通している。なお、本実施形態では、紙パック式のものを例に挙げて説明するが、本発明はサイクロン式の電気掃除機にも適用することができる。
【００２６】
上ケース１２は、モータケース１５ｅ、コードリール１６及び制御基板１７の上側全体を覆う形状であり、下ケース１１（本体ケース）に固定されている。また、上ケース１２の上部には、コードリール１６の電源コード（図示省略）を巻き取る際に押圧される巻取ボタン２２が設けられている。この巻取ボタン２２は、図示しないバネによって上方に付勢されている。
【００２７】
また、上ケース１２には、後部の左側に略矩形状の排気連通孔１２ｆが形成され、後部の右側に略矩形状の排気連通孔１２ｇが形成されている。この排気連通孔１２ｆ，１２ｇは、後記するように、モータケース１５ｅの排出口１５ｈ（図４参照）から排出された空気が、排気カバー１４の内側に抜ける通路となっている。
【００２８】
ダストケースカバー１３は、掃除機本体２の上部の外郭（外観）の一部を構成する。このダストケースカバー１３の後端部は、上ケース１２に設けられたヒンジ部１２ｂに軸支されている。ダストケースカバー１３の前端側は、軸支部を中心に跳ね上げ式に回動することで、ダストケースカバー１３は、集塵部１８の上部を開閉する。
【００２９】
なお、ダストケースカバー１３は、軸支部を支点に鉛直方向上向きとなるまで回動するように構成されている。
【００３０】
本実施形態でのダストケースカバー１３は、上向きに凸状に形成され、左右方向に山なりになるようになだらかに湾曲している。
【００３１】
また、ダストケースカバー１３の裏面には、図示しないリブが形成されている。このリブは、ダストケースカバー１３で集塵部１８の上部が閉じられた際に、蓋パッキン１８ａと密着する。これにより集塵部１８はダストケースカバー１３によって気密に閉じられる。また、ダストケースカバー１３の前側裏面には、ロック部材１３ｃが設けられている。このロック部材１３ｃが下ケース１１（本体ケース）の前側に設けられた図示しない係合部に係合されることによって、ダストケースカバー１３は、集塵部１８に対する閉状態を維持する。
【００３２】
このようなダストケースカバー１３は、ＡＢＳ（Acrylonitrile-Butadiene-Styrene）樹脂などの合成樹脂製の材料で形成されている。
【００３３】
排気カバー１４は、掃除機本体２の上部の外郭（外観）の一部及び背部の外郭の一部を構成するものであり、ダストケースカバー１３の後方に隣接して設けられている。
【００３４】
本実施形態での排気カバー１４は、上向きに凸状に形成され、左右方向に山なりになるようになだらかに湾曲している。
【００３５】
また、排気カバー１４とダストケースカバー１３とは、同じ曲率を有するように左右方向に山なりとなっている。これによってダストケースカバー１３が前記の軸支部周りに回動して集塵部１８の上部を閉じている状態では、排気カバー１４の外面とダストケースカバー１３の外面とは、前後方向に面一となるように合わせられる。
【００３６】
また、排気カバー１４は、巻取ボタン２２の操作面を露出させる開口部１４ｂと、前記の電源コード（図示省略）と、これに接続されるプラグ（図示省略）を引き出すためのプラグコード引出口１４ｃと、後記する電動送風機１５からの排気を掃除機本体２の機外に排出する排気口１４ｄと、を有している。
【００３７】
本実施形態での排気口１４ｄは、排気カバー１４の内外を貫く複数のスリットで形成されているが、排気口１４ｄはこれに限定されるものではない。また、本実施形態での排気口１４ｄは、湾曲した排気カバー１４の略上部から左端にかけて左右非対称に形成されている。
【００３８】
プラグコード引出口１４ｃは、外面１４ａの右端から突出して形成され、図示しないが右側方と後方が開放する孔を有している。
【００３９】
このような排気カバー１４は、ＡＢＳ樹脂などの合成樹脂製の材料で形成されている。
【００４０】
なお、図２中、符号１９ａは、下ケース１１（本体ケース）の後部左右側面に回転自在に取り付けられている大径の車輪である。ただし、図２では、右側の車輪１９ａは、作図の便宜上その記載を省略している。符号３０は、別体ハンドルである。ちなみに、別体ハンドル３０は、ユーザの必要に応じて下ケース１１（本体ケース）に対して着脱自在になっている。
【００４１】
次に、掃除機本体２についてさらに詳しく説明する。
【００４２】
図３は、掃除機本体２の縦断面図である。なお、図３は、別体ハンドル３０（図２参照）を取り外した掃除機本体２の縦断面図である。
【００４３】
図３に示すように、モータケース１５ｅは、電動送風機１５を収納している。
【００４４】
電動送風機１５は、ファン１５ａと、このファン１５ａを回転駆動する電動機１５ｂと、これらのファン１５ａ及び電動機１５ｂを収納する筺体１５ｃと、を備えている。
【００４５】
本実施形態でのモータケース１５ｅは、合成樹脂で形成されており、略直方体の形状を呈している。このようなモータケース１５ｅ内で電動送風機１５はファン１５ａが前方を向くように横置きされている。
【００４６】
また、電動送風機１５の前側には、集塵部１８からの排気を吸引する吸気口１５ｆが形成されている。本実施形態での電動送風機１５は、防振ゴム１５ｇを介してモータケース１５ｅ内に支持されている。そして、モータケース１５ｅは、下ケース１１（本体ケース）内にねじなどによって固定されている。
【００４７】
このモータケース１５ｅに形成される電動送風機１５からの排気の排出口１５ｈについては後に詳しく説明する。
【００４８】
また、掃除機本体２の上部において、上ケース１２とダストケースカバー１３との間に空間Ｑ１、上ケース１２と排気カバー１４の上面１４ｓとの間に空間Ｑ２が形成されている。また、掃除機本体２の背部において、上ケース１２と排気カバー１４の背面１４ｔとの間に空間Ｑ３が形成されている。このように、掃除機本体２は、モータケース１５ｅの周囲が２重壁構造となっている。
【００４９】
また、モータケース１５ｅの上部には、前記したように、制御基板１７が取り付けられている。制御基板１７と上ケース１２との間には、空気が通流する空間Ｑ４が形成されている。  
コードリール１６は、商用電源に接続される電源コード１６ｂと、この電源コード１６ｂを巻き取り、又は繰り出すリール部１６ａとを備えて構成されている。
【００５０】
リール部１６ａは、回転軸１６ｇが前後方向を向いて配置されるように下ケース１１（本体ケース）内に回転自在に支持されている。
【００５１】
なお、図３中、符号１４ｄは排気カバー１４に形成された前記の排気口であり、符号１９ａは図２で記載を省略した右側の大径の車輪であり、符号１９ｂは下ケース１１（本体ケース）の前側下面の左右幅方向中央に設けられた小径の車輪を有するキャスタであり、符号２０ｂは前記のホース接続口であり、符号２１は前記の紙パックであり、符号２２は前記の巻取ボタンである。
【００５２】
図４は、図３のIV−IV断面図である。
【００５３】
図４に示すように、電動送風機１５を収納するモータケース１５ｅの右側面には、電動送風機１５からの排気の排出口１５ｈが形成されている。なお、図４中、符号１５ｓはモータケース１５ｅの排出口１５ｈの開口面である。
【００５４】
本実施形態での排出口１５ｈの開口面１５ｓは、図４中、仮想線（二点鎖線）で示されるように、モータケース１５ｅの開口端面で規定される。しかし、本発明においては、開口面１５ｓは、モータケース１５ｅ内に規定され、フィルタ２３の背面（図４におけるフィルタ２３の左面）に等しい仮想面とすることもできる。
【００５５】
この排出口１５ｈには、粒子捕集効率の高い空気清浄用のフィルタ２３が取り付けられている。このフィルタ２３としては、例えば、ＨＥＰＡフィルタ（High Efficiency Particulate Air Filter）、ＵＬＰＡフィルタ（Ultra Low Penetration Air Filter）などが挙げられる。
【００５６】
図５は、掃除機本体２の右側面から見たモータケース１５ｅ及びフィルタ２３の透視部分斜視図である。図５中、モータケース１５ｅ及びフィルタ２３は、隠れ線（破線）で描いており、符号１５ｓはモータケース１５ｅの排出口１５ｈの開口面である。排出口１５ｈの開口面１５ｓは、作図の便宜上、網掛けを付して表現している。
【００５７】
図５に示すように、モータケース１５ｅの排出口１５ｈは、掃除機本体２の右側の側面視による平面形状で矩形を呈している。
【００５８】
このような排出口１５ｈに取り付けられる本実施形態でのフィルタ２３は、蛇腹折りのフィルタ素材が枠体内に収められて左右の幅方向に薄い略直方体の外形を有している。また、このフィルタ２３の左右の側面は、モータケース１５ｅの排出口１５ｈの形状に合わせた矩形になっており、フィルタ２３の左側部は、モータケース１５ｅの排出口１５ｈ内に嵌り込んでいる。
【００５９】
なお、図５中、符号１１は掃除機本体２の下ケース（本体ケース）であり、符号１９ａは右側の大径の車輪である。
【００６０】
図４に戻って、白抜き矢印で示すように、排出口１５ｈからフィルタ２３を介して出た排気は、フィルタ２３と下ケース１１（本体ケース）との間を上方に向けて流れる（矢印Ｒ１参照）。その後、排気は、制御基板１７を右方向（図示左側）から左方向（図示右側）に向けて流れ（矢印Ｒ２参照）、網掛けで示した連通孔Ｓ１を通して、後方へ通流する（矢印Ｒ３参照）。なお、モータケース１５ｅの後方には、リール部１６ａを支持する円板１６ａ１の縁部と、上ケース１２の裏面（下面）から下方に向けて延びる仕切板１２ｉの縁部とが当接することで、壁面が構成されている。これにより、排出口１５ｈから出た排気が、コードリール１６に向けて直接に流れ込まないようになっている。
【００６１】
そして、連通孔Ｓ１を通過した後の排気は、前記の排気連通孔１２ｆ，１２ｇ（図２参照）に向けて流れるとともに、その流れの途中でコードリール１６（図３参照）を冷却する。排気連通孔１２ｆ，１２ｇを通過した排気は、排気口１４ｄ（図２参照）から機外に排出される。また、排気は、プラグコード引出口１４ｃ（図２参照）を介しても機外に排出される。
【００６２】
図４中、符号１３はダストケースカバーであり、符号１９ａは大径の車輪であり、符号２５は次に説明する対向面である。
【００６３】
＜対向面＞
図４に示すように、対向面２５は、モータケース１５ｅに形成される排出口１５ｈの開口面１５ｓに対向する面であり、本実施形態での対向面２５は、掃除機本体２の下ケース（本体ケース）における右側の内壁面に規定されている。
【００６４】
本実施形態での下ケース１１（本体ケース）の左右側面は、下方から上方に向けて段差が形成されている。
【００６５】
これにより下ケース１１（本体ケース）の内壁面に規定される対向面２５は、下方に配置される第１面２５ａと、この第１面２５ａよりも開口面１５ｓから離れて形成される第２面２５ｂとを有している。
【００６６】
図４中、符号２６は、フィルタ２３の枠体に取り付けられるインナーカバー（傾斜面付部材）である。このインナーカバー２６については後に詳しく説明する。
【００６７】
図６は、インナーカバー２６の近傍の断面図である。
【００６８】
図６に示すように、インナーカバー２６は、断面視で下ケース１１近傍に配置される傾斜面を有する。符号２６ａはインナーカバー２６の前記した斜面であり、この傾斜面２６ａは、前記したように、排出口１５ｈの開口面１５ｓに対して傾斜している。具体的には、傾斜面２６ａは、下方から上方に向かうほど開口面１５ｓから徐々に離れるように傾斜している。
【００６９】
このようなインナーカバー２６が下ケース１１（本体ケース）の内壁面に形成される段差部２５ｄの近傍に配置されることで、開口面１５ｓと対向する面の少なくとも一部に開口面１５ｓに対して傾斜している傾斜面２６aが形成される。下ケース１１（本体ケース）の下方から上方に向けて、第１面２５ａ、段差部２５ｄ、及び第２面２５ｂがこの順番で形成されている。開口面１５ｓに対抗する面は、第１面２５ａあるいはインナーカバー２６の一部、傾斜面２６ａ、第２面２５ｂである。
【００７０】
図７（ａ）は、本発明の実施例で使用した掃除機本体フィルタ部の組み立て図である。図７（ｂ）（ｃ）は（ａ）のＡ部拡大図である。図８（a）はインナーカバー２６の斜視図である。図８（ｂ）はインナーカバー２６とフィルタ２３との取付け状態の斜視図である。図８（ｃ）はインナーカバー２６とフィルタ２３とをモータケース１５eに取り付けた状態の斜視図である。図９は図８（ｃ）をフィルタ側（紙面左下側）から見た図である。本実施形態でのインナーカバー２６は、フィルタ２３の枠体に取り付けられるものを想定している。図７に示すように、フィルタ２３の枠体に、インナーカバー２６の爪２６ｂを、フィルタ２３ａ部に引っかかるようにして、嵌めこむように取り付けられるようにしてあることが、本発明の電気掃除機１（図１参照）の製造工程を簡便とする点で望ましい。
【００７１】
リブ２７は、図６に示すように、段差部２５ｄから第２面２５ｂに渡って上下方向に延びるように設けられている。言い換えれば、リブ２７は、第１面２５ａ側から離れる方向に延びている。
【００７２】
このリブ２７は、下ケース１１（本体ケース）と一体に成形された細長の板体で形成されており、下方から上方に向かうほど徐々にリブ高さが増すように形成されている。
【００７３】
リブ２７の数としては、特に制限はないが、並行して複数配置されるリブ２７が望ましい。
【００７４】
なお、図６中、符号２３はフィルタである。図６の符号１５ｓは排出口１５ｈの開口面であり、符号２３はフィルタであり、符号２５ｃは対向面２５の傾斜面であり、符号２６ａはインナーカバー２６の傾斜面であり、符号Ｆは開口面１５ｓからの排気の流れであり、符号Ｆａは対向面２５の第１面２５ａ側から上方の第２面２５ｂ側に向かう気流成分である。
【００７５】
次に、本実施形態に係る電気掃除機１の奏する作用効果について説明する。
【００７６】
前記したように、図４の排出口１５ｈからフィルタ２３を介して出た排気は、フィルタ２３と下ケース１１（本体ケース）との間を上方に向けて流れた後、連通孔Ｓ１から後方に向けて通流して図２の排気口１４ｄなどから掃除機本体２の機外に排出される。
【００７７】
従来の電気掃除機（例えば、特許文献１参照）では、前記のように、フィルタ（本実施形態でのフィルタ２３に対応）と本体ケース（本実施形態での下ケース１１に対応）の内壁面との隙間が狭くなってきている。このため従来の電気掃除機では、フィルタから排出された風（排気）が本体ケースに当たって跳ね返り、再びフィルタに向かうことによって排気対流が生じ、その対流によって、騒音が上昇するという問題があった。
【００７８】
これに対して、本実施形態の電気掃除機１（掃除機本体２）では、図６に示すように、対向面２５に対して、インナーカバー２６の傾斜面２６aが、排出口１５ｈの開口面１５ｓに対して傾斜しているので、排気の流れＦは、対向面２５に沿って下方から上方に向かって円滑に案内される。したがって、この電気掃除機１によれば、フィルタ２３と対向面２５との間での排気対流が抑制されて排気対流による騒音が低減される。
【００７９】
また、本実施形態の電気掃除機１（掃除機本体２）では、図６に示すように、対向面２５のうち第２面２５ｂにリブ２７が形成されている。本実施形態の電気掃除機１（掃除機本体２）では、このリブ２７によって、対向面２５に沿って下方から上方に向かう排気の流れＦが整流される。これによって排気対流がさらに効率よく抑制されて排気損失がより確実に低減される。
【００８０】
また、本実施形態の電気掃除機１（掃除機本体２）では、図６に示すように、下ケース１１（本体ケース）の内壁面に規定される対向面２５は、下方に配置される第１面２５ａと、この第１面２５ａよりも開口面１５ｓから離れて形成される第２面２５ｂとを有している。
【００８１】
この電気掃除機１（掃除機本体２）によれば、第２面２５ｂと開口面１５ｓとの間よりも狭い第１面２５ａと開口面１５ｓとの間では、排出口１５ｈからの排気の温度（約６０℃程度）を、より高く維持することができる。
【００８２】
つまり、本実施形態の電気掃除機１（掃除機本体２）では、第２面２５ｂと開口面１５ｓとの間よりも第１面２５ａと開口面１５ｓとの間のほうが、温度が高くなるように温度勾配が設定される。これにより第１面２５ａ側から上方の第２面２５ｂ側に向かう気流成分Ｆａが形成される。
【００８３】
したがって、電気掃除機１（掃除機本体２）では、この気流成分Ｆａによっても排気対流が効率よく抑制されて排気損失がより確実に低減される。
【００８４】
また、本実施形態の電気掃除機１（掃除機本体２）では、第１面２５ａと第２面２５ｂとの間に段差部２５ｄが形成されるが、ここで段差部２５ｄに傾斜部材２６を有しない比較例（図示省略）を想定する。この比較例では、下ケース１１（本体ケース）の内壁面を下方から上方に向かって流れる排気は、段差部２５ｄを横切ることとなる。その結果、この比較例では、排気による風切り音を発生する恐れがある。
【００８５】
これに対して、本実施形態の電気掃除機１（掃除機本体２）では、インナーカバー２６の特に傾斜面２６ａによって段差部２５ｄが軽減されるので風切り音の発生を効率よく防止することができる。また、本実施形態で前記の傾斜面部をルーバーのようにした、インナーカバー２６を有するでも、風切り音の発生を防止することができる。
【００８６】
以上、本発明の実施形態について説明したが、本発明は前記実施形態に限定されずに実施することができる。なお、以下の他の実施形態において、前記実施形態と同様の構成要素については同一の符号を付してその詳細な説明は省略する。
【００８７】
図１０（ａ）（ｂ）は、本発明の他の実施形態を示す図である。
【００８８】
２３ｂは、ひだ折のフィルタ素材である。フィルタ２３の偏りを矯正するための櫛刃２６ｃを一体に成形したインナーカバー２６の斜視図である。
【００８９】
このような電気掃除機１（掃除機本体２）によれば、フィルタ２３のひだ折部２３ｂの偏りが矯正されることによって、フィルタ２３の排気面積を大きくし、フィルタ２３の排気効率の低下を防ぐことができる。前記の排気効率の低下を防ぐ方法としては、ひだ折部２３ｂの偏り矯正ができるものであれば、櫛刃に限らない。
【００９０】
本実施例では、フィルタ２３にインナーカバー２６を取り付けることで、騒音低減効果が確認された。
【００９１】
なお、インナーカバー２６における下側（開口面１５ｈの下側に対向する位置）に第２の傾斜面部２６ｄが設けられている（図４参照）。第２の傾斜面部２６ｄにより、傾斜面２６ａと同様の効果を奏する。
【符号の説明】
【００９２】
１      電気掃除機
２      掃除機本体
３      ホース
４      操作管
５      延長管
６      吸込具
１１    下ケース
１２    上ケース
１３    ダストケースカバー
１４    排気カバー
１５    電動送風機
１５ａ  ファン
１５ｂ  電動機
１５ｅ  モータケース
１５ｈ  排出口
１５ｓ  開口面
１６    コードリール
１７    制御基板
１８    集塵部
２３    フィルタ
２３ａ  フィルタ側爪
２３ｂ  ひだ折フィルタ素材
２５    対向面
２５ａ  第１面
２５ｂ  第２面
２６    インナーカバー（傾斜面付部材）
２６ａ  傾斜面（第１の傾斜面部）
２６ｂ  爪
２６ｃ  櫛刃
２６ｄ  第２の傾斜面部
２７    リブ
【図１】
2018134352.tif 000003
【図２】
2018134352.tif 000004
【図３】
2018134352.tif 000005
【図４】
2018134352.tif 000006
【図５】
2018134352.tif 000007
【図６】
2018134352.tif 000008
【図７】
2018134352.tif 000009
【図８】
2018134352.tif 000010
【図９】
2018134352.tif 000011
【図１０】
2018134352.tif 000012